(57)【特許請求の範囲】
【請求項１】
表示本体内で、頭部（１）と胴体（２）を連結した支柱（４０）の縦溝内に、下可動軸（３１）と連結した上可動軸（３０）を連通し、該上下の可動軸の間に１次ばね（３３）を弾設し、前記下可動軸（３１）には両腕（７０，８０）と連結されたアームバー（３２）が嵌合され、前記下可動軸（３１）がストローク（a）分駆動するとき、前記両腕（７０，８０）が開閉し、前記１次ばね（３３）の弾発力で前記上可動軸（３０）を上昇させ、その上端に連結された頭部駆動ピン（４３）を回動させておじぎを行い、このときの前記頭部１の回動加速を減勢するとともに復帰時の回転力を有するのが２次ばね（３４）であり、該２次ばね（３４）は前記上可動軸（３０）と支柱ばね受け（４１）の間に弾設されており、瞼（３）の内側に軸通された左右の目玉（１１，２１）を回転させる目玉フック（１７）は、上部に固着された錘を兼ねた鉄片（１８）が、前記頭部（１）の内側に固着された磁石（４）の移動によって前記頭部（１）が往復回動する間に前記目玉（１１，２１）の回転を行い、該目玉（１１，２１）の側面には各４個の鉄片（１３，２３）が固着され、そのうち左右の各１箇所には重力を有する錘（１１Ｐ）が施されており、目玉ホルダー（１４，２４）に埋設された磁石（１５，２５）に誘引されて停止し、前記目玉（１１，２１の）周囲に印刷されたハートを含む笑った瞳（１１a、２１b）の各４個の組み合わせが毎回変化し、常に喜んだ表情を見せるおじぎマスコット。
【請求項２】
前記下可動軸（３１）を上下させる駆動手段として、ソレノイド（５０）を用い、ソレノイドの機種のうち安価な標準タイプを量産向きに活用するため、回転部材のローター（６０）の裏面に形成された楕円部（６０k）を前記下可動軸（３１）の下部底面で滑動するように展着し、前記ソレノイド（５０）によって直線運動を行う可動鉄芯（５１）を連結したローターカム（６２）が、１回上下することで前記ローター（６０）を９０度回転させ、前記楕円部（６０k）の縦横の寸法差がストローク（a）と同じであるため、前記下可動軸（３１）が上昇又は下降して前記マスコットはおじぎとその復帰を行い、前記下可動軸（３１）が長時間上昇したままでも、前記ソレノイド（５０）は焼損することなく安全に活用でき、その他大人や子どもの等身大に拡大したときは案内マスコットとしても活用できることを特徴とする前記駆動手段を備えた請求項１に記載のおじぎマスコット。
【発明の詳細な説明】
【技術分野】
【０００１】
本発明は、人形や人気キャラクターを用いて、他者に対して感謝の気持ちを表現するマスコットである。
【背景技術】
【０００２】
車両においては、走行中、進路を譲ってくれた後続車に対し、感謝の気持ちを伝えるため、ハザードランプ（非常点滅灯）を数回点灯する方法が一般的に用いられている。また、挨拶人形等で、後続車とコミュニケーションを図る方法も見られる（特開平０８−０２８２３７０及び実登３０６９２５６）また、銀行、郵便局、コンビニ等で見かける募金箱においては、貯金箱をそのまま利用したものや、普通の紙箱や木箱等に硬貨の投入孔を設けたものが一般的であり、謝意を伝え、気持ちを和ませるような募金箱は未だ見かけない。
【先行技術文献】
【特許文献】
【０００３】
【特許文献１】特開平８−２８２３７０
【特許文献２】実登３０６９２５６
【発明の概要】
【発明が解決しようとする課題】
【０００４】
車両において、進路をゆずってくれた後続車に対して、謝意を表す方法として、ハザードランプの点滅に加えて、人形やキャラクターを用いて挨拶する方法が種々開示されているが、さらに、心から他者の気持ちを和ませる工夫があっても良いと思われる。善意の基金をお願いする募金箱等においても、同様である。
【課題を解決するための手段】
【０００５】
人気アニメのキャラクターや、マスコットを表示本体とし、その内部に、垂直に埋設された１本の支柱の溝内を、連結した２段式可動軸の、僅かな上下直線運動によって、腕の作動や頭部の回転、及び目玉の回転等、すべての動作を行うおじぎマスコット。車両においては、動力にソレノイドを使用し、募金箱（貯金箱を含む）では、手動で操作する。
【発明の効果】
【０００６】
車両の場合,車間距離があると、目玉の確認はできなくとも、マスコットの挨拶のポーズは、気持ちを和ませる効果があり、後続車への謝意は充分伝えることができ、運転者、または同乗者が手を振って応えてくれるときもある。また、募金箱では、口は初めから笑った表情をもち、瞳は喜んだ形ばかりにし、赤色のハートも交わり、スロットル感覚で楽しめ、ハートが２つ並ぶと大人でも気持ちが和むものである。
【図面の簡単な説明】
【０００７】
【図１】本発明の実施例を示す正面図
【図２】「図１」のＡ−Ａ断面図
【図３】作動時の正面図
【図４】「図３」のＢ−Ｂ断面図
【図５】「図４」のｄ−ｄ拡大背面図
【図６】目玉拡大詳細図（左右対称）  ｆ１左側面図、ｆ２正面断面図、ｆ３右側面図
【図７】ローター拡大詳細図  ｎ１左側面図、ｎ２正面図、ｎ３右側面図
【図８】募金箱（貯金箱）概要図
【発明を実施するための形態】
【０００８】
以下本発明の実施の形態を図１〜図８に基づいて説明する。
【０００９】
図１に示す如く、表示本体は１の頭部と、２の胴体とに分けられ、上下１、２の連結及び、すべての部品の動作は、胴体２の中央に埋設された支柱４０によって支えられている。
【００１０】
図２に、図１中のＡ−Ａ断面図として、作動前の静止状態を示しているが、下可動軸３１がストローク（ａ）の短い距離を上下運動するだけで、一切の動作（腕、頭部、目玉）を行う。動力としては、用途に応じて手動とソレノイドに分けられる。
【００１１】
車両用の場合、ローター６０の裏面、周動部６０ｋの平面部に下可動軸３１の底面が密着した状態が、作動前の静止位置となる。このローター６０はローター枢持ピン６１を回動して、可動軸を上下スライドさせる。
【００１２】
下可動軸３１の中間にアームバー３２を保持し、その両端に両腕の連結ピン７２、８２を挟み、このアームバー３２の上下運動で両腕の開閉を行う。破損や連結部の摩耗を防ぎ、腕を自然な動きにするため薄い板ばね状になっている。
【００１３】
下可動軸３１と上可動軸３０の間に、１次ばね３３が収まり、ストローク（ａ）は、上可動軸３０の可動ゲージ部３０ｓと下可動軸３１の長穴部３１ｓによって常に保持されている。また、上可動軸３０は、ばね押え４１の間の２次ばね３４のかるい圧縮状態で、ストローク（ｂ）を保っている。尚、上の２次ばね３４は、下の１次ばね３３より約２分の１程度の荷重であり、頭部回転及び復帰時の余力による目玉の回転力を有する。
【００１４】
上可動軸３０には、頭部駆動ピン４３を保持する長溝を有し、この駆動ピン４３は、頭部中心軸４２の中応にあり、上可動軸３０のストローク（ｂ）を上下スライドすることで頭部１の往複回転を行う。
【００１５】
目玉１１、２１（左右）は、頭部１の内側に固着された目玉ホルダー１４、２４（左右）を貫く目玉枢持ピン１０に通され、左右とも回転自在であり、頭部１と一体に成形された透明の瞼３の内側で回転する。目玉の周囲には笑った表情と、ハートの瞳、合わせて４個が印刷されており、側面には位置決め用の鉄片１３、２３が各４個づつ固着され１箇所は分銅の役割をしている。また、目玉ホルダー１４、２４の各１箇所（鉄片が配置された上下、左右のうち、目玉フック１７方向）に目玉部永久磁石１５、２５（図３詳細）を鉄片の直近に埋設する。
【００１６】
この場合、鉄片と磁石のスキマは左右のどちらかを若干違えることで、瞳の組み合わせが毎回変化する。また、図６のｆ３（１１Ｐ）に示すとおり、鉄片を固着する４箇所のうち、１箇所にぜい肉をつけ、分銅（錘）の役割をさせる。回転に弾みをつける効果と、位置決めを正確に行うためである。これは、鉄片が４個の場合は、鉄片と鉄片の間隔が広く、その中間で目玉が停止する場合があるので、重力で磁石まで誘引するためである。
【００１７】
目玉を回転させるための目玉フック１７は、フックホルダー１９と枢持ピン１６によって連結され、このフック１７の上部突端に鉄片１８を固着し、頭部１の内側に固着された頭部永久磁石４により吸引され、目玉に干渉しない位置にある。頭部１が前方に回転し、磁石４が移動すると鉄片１８が錘となって、下方が目玉の突起部を引っ掛ける位置まで作動する。必要に応じて作動する目玉フック１７や、位置決めに使用した磁石は、小粒で強力なネオジム磁石で、これがなければ本発明は完成できなかったと云える。
【００１８】
全体を作動させる動力について、まずソレノイド５０の説明から行うと、図２に示すとうり、吸引前の可動鉄芯５１と一体に固着されたカム駆動ピン５３が、カムホルダー６３のピン穴６３ｅ（図３）に挿入されており、このカムホルダー６３とローターカム６２は、カムばね６５とカム枢持ピン６４とで一対の動きをし、１回上下スライドする毎にローター６０を９０度づつ回転させる。
【００１９】
動力たるソレノイド５０は、キャラクター本体内に収めるため、できるだけ小型が望ましい。製造メーカーの種別のなかの、プルソレノイドという一般的なものを使用しているが、ソレノイドの特性として、小型であれば吸引力が弱く、ストロークも短い。また、吸引したまま通電時間が長くなると、焼損がおこるため、コイル内に温度ヒューズをつける場合もあり、メーカーのカタログには、焼損の心配のない自己保持ソレノイドがあるが、かたちも価格もアップして、コストの面で大量生産向きではない。
【００２０】
前記ソレノイドの特性の問題を解決し、車両用として当該ソレノイドを最良に活用できるのがローター６０である。このローターは長時間マスコットがおじぎをしたままでも、ソレノイド５０が焼損することはない。図７のｎ１〜ｎ３に示すとおり、６０ｋの平面部分と長手方向アール部は、９０度回転したときの寸法差はストローク（ａ）、（ｂ）と同じ値であり、この６０ｋが直立した状態が、ソレノイドの吸引中とおなじ役割をはたす（自己保持ソレノイドの吸引保持中と同様）また、図７、ｎ１のローターの４個の突起部６０ｊを、回転方向に１０度ひねって成形することで、前記ソレノイドの吸引力を助けている。
【実施例】
【００２１】
車両用の実施例として「図１」「図２」で、作動前の静止状態を示しているが、リヤウインドウ内に設置し、小型の押しボタン式のスイッチを両面テープ等で、ハザードランプと並べて設置し、２指で、同時または個別にスイッチを押す。常時併用したい時は、ハザードランプのスイッチと重ねてもよい。重ねた場合、スイッチを押すと、ハザードランプが点滅し、マスコットがおじぎをする。もう一度押すとハザードランプが消え、おじぎを解除する。駐車中や故障等でハザードランプを点滅する時も、併用しても構わない。
【００２２】
図３、図４で作動状況を示すとおり、運転者によって、スイッチが押され、ソレノイド５0内の固定鉄芯５２が可動鉄心５１を吸引する。ストローク分上昇し、枢持ピン５３が挿入されたローターカム６２によってローター６０が９０度回転して、下可動軸３１をストローク（ａ）分上昇させる。スイッチを押した指はすぐにスイッチから放れるので、可動鉄芯５１は鉄芯ばね５４によって戻され、ローターカム６２は作動前に復帰する。
【００２３】
図３のＢ−Ｂを図４で示し、図４、ｄ−ｄを図５で示すとおり、ローター６０が９０度回転し、裏面の６０ｋ部が直立したとき、下可動軸３１の底面を周動して、ストローク（ａ）分上昇させる。このとき、ローター６０が回り過ぎたり、逆転しないようにローター受け６６で６０ｋのアール部を保持する。また、ローター受け６６は、ばね６８に圧縮されて常時６０ｋの周動部に接し、ローターの回転を安定させている。
【００２４】
「図」４のＢ−Ｂ断面図で、上下１対の可動軸と、２段ばねのしくみを示しているが、下可動軸３１がスライドし、アームバー３２も同時上昇して腕７０，８０が最初に閉じる。スライドした下可動軸３１が、１次ばね３３を圧縮して上可動軸３０を押し上げる。上可動軸３０は、２次ばね３４を圧縮しながら上昇し、頭部駆動ピン４３を介して頭部１を回転させて、おじぎをする。この時、ストローク（ｂ）は０寸法となる。
【００２５】
２次ばね３４は、圧縮を増すほど頭部回転の速度をゆるめて、おじぎを滑らかに終わらせる働きをする。腕開閉を行うアームバー３２は、薄い板ばね状であり、２段ばね構造とあわせて、下可動軸３１をどんなに急速で突き上げても、連結部の著しい摩耗や損傷はない。
【００２６】
おじぎを終わらせるときは、スイッチを押して指がすぐ放れるので、ソレノイドの可動鉄心５１が上下１往復して、ローター６０が９０度回転する。この時、下可動軸３１の下支点部は、ストローク（ｂ）が０になった分の空間ができている。圧縮されていた２次ばね３４の弾発力によって頭部駆動ピン４３を下降させるので、頭部１が復帰をはじめる。
【００２７】
頭部１の完全復帰の少し手前で、回転フック１７が目玉１１、２１（左右）の突起部１２、２２を引っ掛けて、目玉１１、２１は勢いをつけて回転する。頭部１の上部、内側に固着した頭部磁石４によって、フック１７の鉄片１８を吸引し、目玉の回転に干渉しない位置まで先端が回避する。回転を終える目玉は、目玉部磁石１５、２５に誘引されて、スロットルのようにそれぞれの定位置に止まり、左右の瞳の組み合わせが１６組のうちの１組が表示される。尚、頭部の復帰は２次ばねによって行うが、ばね圧によって頭部回転の勢いが増したころ、目玉の回転に力を吸収するため、滑らかなおじぎ終了となる。
【００２８】
手動で行う募金箱（貯金箱）では、ソレノイド及びローター部を使用せず、図８に示すとおり、内箱ｈ４を備えた箱の上に、マスコットを取り付け、蓋を兼ねた硬貨投入皿ｈ１を開けると、連結棒ｈ３が下可動軸３１を押し上げ、全体の動作を行いおじぎをし、同蓋を閉じると復帰する。ポケットの機能をもったキャラクターにおいては、下可動軸３１と連結して、ポケットｈ２からも硬貨を投入できるようにしてもよい。任意で表示本体の外側から直接腕を閉じると、頭部と目玉が動き、頭部を手で回すと、両手を閉じたり、瞳が変化する。作動方向へは少々乱暴に動かしても壊れることはなく、玩具としても自在に楽しむことができる。
【産業上の利用可能性】
【００２９】
本発明の表示体を拡大した場合は、子どもの等身大くらいを店補やレストランの入り口付近に設置し、センサーで感知して音声を流し、「いらっしゃいませマスコット」としても利用できる。この場合は、ローター部を使用せず、ソレノイドの吸引時間をタイマーで調整してもよい。
大人の等身大であれば、道路工事中の現場で旗を持たせて、タイマーによる交通整理等を行う方法もあり、この場合、太陽光パネルを電源とすることもできる。
【符号の説明】
【００３０】
１頭部
２胴体
３瞼
４頭部永久磁石
１０目玉枢持ピン
１１、２１目玉左右
１１ａ、２１ｂ瞳左右
１２、２２目玉突起部
１３、２３目玉鉄片
１４、２４目玉ホルダー左右
１５、２５目玉部永久磁石
１６フック枢持ピン
１７目玉フック
１８目玉フック鉄片
１９フックホルダー
３０上可動軸
３０ｓ上可動軸ゲージ部
３１下可動軸
３１ｓ下可動軸長穴部
３２アームバー
３３一次ばね
３４二次ばね
４０支柱
４１支柱ばね受け
４２頭部中心軸
４３頭部駆動ピン
５０ソレノイド本体
５１可動鉄心
５２固定鉄芯
５３カム枢動ピン
５４鉄芯ばね
６０ローター
６０ｊローター突起部
６０ｋローター周動部
６１ローター枢持ピン
６２ローターカム
６３カムホルダー
６３ｅ鉄芯ピン穴
６４カム枢持ピン
６５カムばね
６６ローター受け
６７ばね受け
６８ローター支持ばね
７０、８０腕
７１、８１腕枢持ピン
７２、８２連結ピン
（ａ）、（ｂ）ストローク
ｆ１左側面図
ｆ２正面断面図
ｆ右側面図
１１Ｐ錘部
ｎ左側面図
ｎ正面図
ｎ右側面図
ｈ１硬貨投入皿
ｈ２ポケット投入皿
ｈ３連結ピン
ｈ４内箱
【要約】
【課題】他者の好意に対して、感謝の気持ちを表す方法として、人形や人気キャラクター等を用いて、車両の場合にはリヤーウインドウに設置し、銀行や、郵便局、またはコンビニ等に設けてある募金箱等には、箱の上に設置し、感謝の気持ちを伝える、おじぎマスコット。
【解決手段】人形や人気キャラクターの表示本体内に設けた支柱を介して、その溝内を僅かに上下スライドする２段可動軸と、荷重の異なる２つのばねを組み合わせた１対の作動機構によって、腕の開閉、頭部の回転及び目玉（瞳）の回転のすべての動作を行う。動力として、車両の場合はソレノイドを用い、募金箱（貯金箱）では、可動軸と連結された、硬貨投入皿を開閉することで、すべての動作を行う。  
【選択図】図１【図１】
0005580493.tif 000002
【図２】
0005580493.tif 000003
【図３】
0005580493.tif 000004
【図４】
0005580493.tif 000005
【図５】
0005580493.tif 000006
【図６】
0005580493.tif 000007
【図７】
0005580493.tif 000008
【図８】
0005580493.tif 000009